(57)【特許請求の範囲】
【請求項１】
裏面側に粘着剤を設けるとともにこれを剥離紙で被覆した貼着基材の表面側に、感熱紙で構成した貼付票と配達票兼受領票とをそれぞれの配送情報記入面が表出するように並列的に設け、前記配達票兼受領票は、前記貼着基材に対して分離可能に設ける一方、前記配達票兼受領票の配送情報の記入を阻害しない位置に、非接触型ＩＣチップを備え、表面に、バーコードを印字、書き換え可能な感熱タイプのリライト層を形成したＩＣタグを、その裏面において全面的に剥離可能に接着し、このＩＣタグを設けた状態でプリンタでの印字が可能な薄さに形成したことを特徴とする配送票。
【発明の詳細な説明】
【０００１】
【発明の属する技術分野】
本発明は、配送作業で使用する複数の伝票を備えた配送票に関し、特に、非接触型ＩＣチップを備えたＩＣタグを設けた配送票に関する。
【０００２】
【従来の技術】
従来の配送票は、表面に配送情報を記入し、この配送情報を目視により確認して配送作業を行う一方、着店コードと称される配送地域を特定する番号や、配送票に固有の伝票番号を示すバーコードをバーコードリーダで読み取って配送作業の管理を行っているのが一般的である。
【０００３】
【発明が解決しようとする課題】
配送作業を効率的に行うには、機械読み取りしたデータの活用が不可欠であるが、従来のバーコード情報は、情報量が少なく、着店コードまたは伝票番号程度しか情報化できないために、配送作業の充分な効率化はできなかった。また、バーコーダリーダで読み取るためには、バーコード自体を表面に表示する必要があり、汚れなどによって読み取りエラーを生じることもあるという問題もあった。一方、ＩＣチップのメモリには多くの情報を書き込むことができるが、このＩＣチップを備えたＩＣタグは高価なので、使い捨てにする安価な配送票には使用できないという問題があった。本発明は、このような事情に鑑みてなされたもので、ＩＣタグを利用して、配送作業の効率化に貢献できるとともに、ＩＣタグの再利用も可能な配送票を提供することを目的とする。
【０００４】
【課題を解決するための手段】
この目的を達成するために、本発明の請求項１に記載した配送票は、裏面側に粘着剤を設けるとともにこれを剥離紙で被覆した貼着基材の表面側に、感熱紙で構成した貼付票と配達票兼受領票とをそれぞれの配送情報記入面が表出するように並列的に設け、前記配達票兼受領票は、前記貼着基材に対して分離可能に設ける一方、前記配達票兼受領票の配送情報の記入を阻害しない位置に、非接触型ＩＣチップを備え、表面に、バーコードを印字、書き換え可能な感熱タイプのリライト層を形成したＩＣタグを、その裏面において全面的に剥離可能に接着し、このＩＣタグを設けた状態でプリンタでの印字が可能な薄さに形成したものである。
【０００５】
【発明の実施の形態】
以下、添付図面に基づいて本発明をデパートや、通信販売会社における商品の大量配送に適用した場合の好適な実施形態を説明する。ここにおいて、図１は必要な情報を印字した配送票の表面側を示す概略的な平面図、図２は同じくそのＡ−Ａ線断面図、図３はＩＣタグの概略的な断面図である。
【０００６】
図１及び図２に示すように、配送票１は各種物品を配送する宅配便で使用するもので、貼着基材２の裏面側に粘着剤３を設けるとともにこれを剥離紙４で被覆する一方、この貼着基材２の表面側に粘着剤５を設け、貼付票６と配達票兼受領票７とを上下方向に並列的に接着して設けてなり、前記配達票兼受領票７は、その裏面に剥離剤８を塗布して、前記貼着基材２に対して分離可能に構成している。前記貼付票６と前記配達票兼受領票７は、１枚の感熱紙にスリット９を入れて区画形成したものである。
【０００７】
図１に示すように、貼付票６の表面には、「貼付票」なる標題１０と、届け先記入欄１２と、依頼主記入欄１３と、品名記入欄１４とを設けている。これら各記入欄１２，１３，１４には、追って、感熱プリンタにより届け先情報３０、依頼主情報３１、品名情報３２を印字し、同時に、届け先記入欄１２の上には、伝票番号１１を印字する。また、配達票兼受領票７の表面には、「配達票兼受領票」なる標題１５と、届け先記入欄１６と、依頼主記入欄１７と、品名記入欄１８と、受領印捺印欄１９とを設けている。前記各記入欄１６，１７，１８には、追って、感熱プリンタにより届け先情報３３、依頼主情報３４、品名情報３５を印字する。このように、前記貼付票６と前記配達票兼受領票７の各表面が配送情報記入面となっている。
【０００８】
図１〜図３に示すように、配達票兼受領票７の配送情報の記入を阻害しない位置である、受領印捺印欄１９の左側には、非接触型のＩＣチップ２２とこれに接続したアンテナ２３を備え、表面に感熱タイプのリライト層２１を形成したＩＣタグ２０を、粘着剤２４で接着している。このＩＣタグ２０は、裏面に剥離剤２５を塗布することで、前記粘着剤２４に対して剥離可能である。
【０００９】
ＩＣタグ２０は、これを接着した状態で配送票１をプリンタにかけて、印字が可能な薄さに構成されている。そして、表面に設けたリライト層２１に、伝票番号１１と同一内容を示すバーコード２６を、追って印字する。ＩＣタグ２０は、図３に示すように、ＩＣチップ２２の接点をアンテナ２３と接続し、これを２枚の樹脂製シート２７，２８の間に挟むとともに、両シート２７，２８を接着剤２９で接着して形成したものである。
【００１０】
続いて、以上のように構成した本実施形態の配送票１の使用方法について説明する。まず、百貨店や通信販売会社では、商品配送管理データをあらかじめ入力してあるメインコンピュータの出力装置である感熱プリンタに大量の配送票１を順次かけて、図１に示すように、貼付票６、配達票兼受領票７の各届け先記入欄１２，１６、各依頼主記入欄１３，１７、各品名記入欄１４，１８にそれぞれ、届け先情報３０，３３、依頼主情報３１，３４、品名情報３２，３５を印字するとともに、伝票番号１１とこれに対応するバーコード２６をそれぞれ所定位置に印字する。この印字動作に際しては、ＩＣタグ２０が粘着剤２４で全面的に配達票兼受領票７に接着されているので、感熱プリンタの移送時に引っ掛かることなく、そのリライト層２１に円滑に前記バーコード２６が印字される。
【００１１】
次いで、ＩＣタグ２０のＩＣチップ２２のメモリに、印字した伝票番号をはじめとする配送情報と同一内容の情報及び配送地域を特定するコードをリーダライタからの無線通信信号により書き込む。なお、この情報の書き込みを印字前に行い、その後、同一内容を感熱プリンタで印字するようにしてもよいほか、印字と同時に、書き込み動作を行ってもよいものである。
【００１２】
そして、各記入欄１２，１３，１４，１６，１７，１８にそれぞれ配送情報を記入し、ＩＣチップ２２のメモリにデータ入力した、図１図示状態の配送票１を、その剥離紙４を剥離し、露出した粘着剤３で貼着基材２の裏面側を所定の配送品の適所に貼付する。配送票１を貼付した配送品は、配送センターに送られ、配送センターでは、到達時に各配送品毎にＩＣチップ２２のメモリのデータとバーコード２６を読み取って、配送品の到着を確認するとともに、この読み取ったデータに基づいて配送先の属する地域センター毎に仕分けし、当該地域センターへの出荷をメインコンピュータに記録して、配送する。
【００１３】
各地域センターでは、同様に、到着した配送品毎にＩＣチップ２２のメモリのデータとバーコード２６を読み取って確認するとともに、この読み取ったデータに基づいて配送先毎にさらに仕分けしたうえ、メインコンピュータに出荷を記録して、届け先情報３１，３４として記載された届け先に配送する。
【００１４】
この際、配達票兼受領票７は地域センターの配送担当者によって適宜剥離され、配送担当者の手元に置いて配送作業に供される。配送担当者は、届け先ではこの配達票兼受領票７の受領印捺印欄１９に受領印を捺印してもらい、この配達票兼受領票７を地域センターに持ち帰る。地域センターでは、ＩＣチップ２２のメモリのデータ、バーコード２６を読み取って、配送済みをメインコンピュータに記録し、配送作業を終了する。一方、この持ち帰った配達票兼受領票７からＩＣタグ２０を剥離し、ＩＣチップ２２のメモリに入力してあるデータとリライト層２１に表示したバーコード２６を消去したうえ、新たな配送票１に剥離可能に接着し、再度使用可能である。
【００１５】
このように、配送票１には伝票番号を示すバーコード２６も設けてあるから、上述のＩＣチップ２２のデータとバーコード２６のデータとを併用することにより、配送作業の管理をより確実に行うことができる。
【００１６】
なお、本発明は上述した実施形態に限定されるものではなく、例えば、ＩＣタグ２０の接着位置も図示例に限定されない。さらに、配達票兼受領票７の裏面周縁部に、剥離動作をより容易にするためにベタ印刷などによる印刷部を設けることも可能である。
またさらに、配達票兼受領票７の左下コーナー部に、三角形状の切り欠き部を形成し、前記配達票兼受領票７を貼着基材２から剥離する際の指掛け部としてもよい。
【００１７】
プリンタは、リライト層２１及び配送情報記入面のタイプに応じて選択すればよく、感熱プリンタに限定されず、リライト層によっては、レーザプリンタやインキジェットプリンタも採用できる。また、配達票兼受領票７を分離可能に設ける構成も、剥離可能に疑似的に接着する構成であればいかなるものでもよく、例えば、剥離可能な接着剤を用いたり、フィルム同士を剥離可能に密圧着するなどの構成を採用してもよい。
【００１８】
【発明の効果】
以上説明したように、本願発明の請求項１に記載した配送票によれば、ＩＣタグを接着したまま感熱プリンタで印字できるので、配送票に印字後、別途データ入力したＩＣタグをこの配送票に接着などする際に生じるマッチングミスがないとともに、前記ＩＣタグのデータとリライト層の伝票番号と同一内容のバーコードとをそれぞれ読み取って確実な配送管理を行うことができ、さらにはＩＣタグのリライト層のバーコードも書き換えが可能で、ＩＣタグを再利用できるのでコスト的にも有利であるという効果を奏する。
【図面の簡単な説明】
【図１】  必要な情報を記入した配送票の表面側を示す概略的な平面図。
【図２】  同じく図１のＡ−Ａ線断面図。
【図３】  ＩＣタグの概略的な断面図。
【符号の説明】
１      配送票
２      貼着基材
３，５      粘着剤
４      剥離紙
６      貼付票
７      配達票兼受領票
８      剥離剤
１１      伝票番号
１２，１６      届け先情報記入欄
１３，１７      依頼主情報記入欄
１４，１８      品名情報記入欄
１９      受領印捺印欄
２０      ＩＣタグ
２１      リライト層
２２      ＩＣチップ
２３      アンテナ
２４      粘着剤
２５      剥離剤
２６      バーコード
３０，３３      届け先情報
３１，３４      依頼主情報
３２，３５      品名情報
【図１】
0003805199.tif 000002
【図２】
0003805199.tif 000003
【図３】
0003805199.tif 000004